(57)【要約】【課題】膝関節の健康を増進することができる椅子型健康器具を提供する。【解決手段】椅子型健康器具１０は、座部１１、座部１１に着座した人３０の脚３１の膝関節部分３２を載せるための棒状部材１３を備えている。棒状部材１３の長手方向は横方向である。棒状部材１３は座部１１よりも高い位置に配設される。  さらに、棒状部材１３の上部１３ａを振動させる振動手段が配設されている。【選択図】図２
0003139618.tif 000002
【実用新案登録請求の範囲】
【請求項１】
座部、前記座部に着座した人の脚の膝関節部分を載せるための棒状部材を備え、
前記棒状部材の長手方向は横方向であり、前記棒状部材は前記座部よりも高い位置に配設されることを特徴とする椅子型健康器具。
【請求項２】
請求項１記載の椅子型健康器具であって、
前記棒状部材の上部を振動させる振動手段が配設されていることを特徴とする椅子型健康器具。
【考案の詳細な説明】
【技術分野】
【０００１】
本考案は、椅子型健康器具に関し、脚の膝関節部分の健康を増進させる技術に関するものである。
【背景技術】
【０００２】
人の脚の膝関節部分は老化等により故障が生じやすい。このため、膝関節部分のストレッチをし、膝関節部分の健康を増進させることが必要となった。
従来の椅子型健康器具として、椅子型健康器具に腰掛けた人の大腿部のマッサージをするものがある（例えば、特許文献１参照）。この場合、座面部の幅方向のほぼ中央部に、膨張時に着座者の左右大腿部の間に立ち上がって、左右大腿部の内部側を外方に押圧する第１マッサージ用空気袋および座面部の両側に位置する肘掛部に膨張時に着座者の左右大腿部の外側部を内方に押圧する第２マッサージ用空気袋を設けている。このため、第１マッサージ用空気袋と第２マッサージ用空気袋とで着座者の左右大腿部の内側部と外側部を挟み込むマッサージができる。
【０００３】
また、脚のアキレス腱のストレッチを行う椅子型マッサージ機がある（例えば特許文献２参照）。この場合、人体のふくらはぎ部の複数個のマッサージ用空気袋を設け、さらに、膨張時に足先の裏面側を押圧するストレッチ用空気袋を設けている。このため、複数個のマッサージ用空気袋のうち人体の足首に最も近い位置にある空気袋を膨張させ、足の位置を規制した後に、ストレッチ用空気袋を膨張させるので、確実にアキレス腱をストレッチさせることができる。
【特許文献１】特開２００６−２５５１５５号公報
【特許文献２】特開２００６−２９６９９４号公報
【考案の開示】
【考案が解決しようとする課題】
【０００４】
しかし、上述の特許文献１記載の考案では脚の大腿部のマッサージを行うことができるが、脚の膝関節部分のストレッチを行って脚の膝関節部分の健康を増進することはできないという問題があった。
また、上述の特許文献２記載の考案では脚のアキレス腱のストレッチを行うことができるが、脚の膝関節部分のストレッチを行って脚の膝関節部分の健康を増進することはできないという問題があった。
そこで、本考案の課題は、脚の膝関節部分の健康を増進することができる椅子型健康器具を提供することである。
【課題を解決するための手段】
【０００５】
上記課題を解決するため、請求項１記載の考案は、座部、前記座部に着座した人の脚の膝関節部分を載せるための棒状部材を備え、前記棒状部材の長手方向は横方向であり、前記棒状部材は前記座部よりも高い位置に配設されることを特徴とする椅子型健康器具である。
【０００６】
請求項１記載の考案により、椅子型健康器具の座部に着座した人が前記座部よりも高い位置に配設された、長手方向が横方向の棒状部材（中空のものおよび筒状のものを含む。）に脚の膝関節部分を載せると、脚の膝関節部分より下の部分が宙吊りになるので、脚の膝関節部分が延びた状態になり、膝関節部分に刺激を与え、膝関節部分のストレッチを行うことができる。
【０００７】
さらに、請求項２記載の考案は、請求項１記載の椅子型健康器具であって、前記棒状部材の上部を振動させる振動手段が配設されていることを特徴とする椅子型健康器具である。
【０００８】
請求項２記載の考案により、前記棒状部材の上部を振動させる振動手段が配設されているので、前記振動手段により前記棒状部材の上部を振動させると、前記棒状部材に載せた脚の膝関節部分に振動を与えて、脚の膝関節部分をマッサージすることができる。
【考案の効果】
【０００９】
請求項１記載の考案によれば、脚の膝関節部分の健康を増進することができる。
さらに、請求項２記載の考案によれば、請求項１記載の考案の効果とともに、脚の膝関節部分のマッサージ効果により脚の膝関節部分の健康を一層増進することができる。
【考案を実施するための最良の形態】
【００１０】
以下、本考案における実施の形態を図面に基づいて説明する。
図１は本考案の実施の形態に係わる椅子型健康器具の正面を示し、図２は図１の椅子型健康器具の左側面を示し、図３は図１の椅子型健康器具の棒状部材のＡ−Ａ断面を示す。さらに、図４は図１の椅子型健康器具の効果を説明し、（ａ）は椅子型健康器具を使用する前の膝関節の概略を示し、（ｂ）は椅子型健康器具を使用中の膝関節を上から見た状態の概略を示す。
【００１１】
図１に示すように、椅子型健康器具１０は座部１１（図２参照）、背もたれ部１４および棒状部材１３を備えている。
図２に示すように、座部１１の後部側に背もたれ部１４が配設され、座部１１の前部側に棒状部材１３が配設されている。棒状部材１３の長手方向（図１の矢印１３ｘの方向）は横方向であり、左右方向である。棒状部材１３は、座部１１よりも高い位置に配設され、座部１１に座る人３０の脚３１の膝関節部分３２を棒状部材１３に載せるためのものである。
【００１２】
具体的には、座部１１の前端部に支持部１５が立設され、支持部１５の上端部に棒状部材１３が固定されている。棒状部材１３の径は５〜１５ｃｍであるのが望ましい。また、棒状部材１３の上端の高さは、座部１１より２０〜３０ｃｍ高く設定するのが望ましい。このようにすると、座部１１に着座した人３０の脚３１の膝関節部分３２を棒状部材１３に掛けることが容易になる。また、座部１１の前端から後端までの長さは４０〜７０ｃｍであることが望ましい。このようにすると、座部１１に着座することが容易になる。
さらに、座部１１を支える脚部１２が配設され、脚部１２は床４０に配置され、座部１１を床４０から所定の高さに保つ。このため、棒状部材１３がない場合には、座部１１に着座した人３０は座部１１に臀部３５を乗せて腰掛けた状態になり、座部１１に着座した人３０の脚３１の膝関節部分３２より下の部分３３の足先３３ａは床４０に着いた状態になる。
しかし、棒状部材１３があるので、座部１１に着座した人３０は座部１１に臀部３５を乗せて腰掛けた状態になり、着座した人３０の脚３１の膝関節部分３２が棒状部材１３に載せられるため、座部１１に着座した人３０の脚３１の膝関節部分３２より下の部分３３の足先３３ａは床４０に着かずに宙吊りになる。なお、この場合、大腿部３４はその膝関節部分３２側端部が臀部３５側端部より高い位置にある。
【００１３】
さらに、図３に示すように、棒状部材１３の上部１３ａを振動させる振動手段２０が棒状部材１３の内部に配設されている。具体的には、図１に示すように、棒状部材１３内の両端部近傍の２箇所にそれぞれ振動手段２０が配設され、図３に示すように、２つの振動手段２０の各々が棒状部材１３の上部１３ａを支えている。
【００１４】
具体的には、図３に示すように、棒状部材１３の内部は空洞になっていて、下側枠体１３ｂに、合成樹脂、皮革等の可撓性がある表皮材１３ｃがピン等の複数の止め具１３ｄにて固定されている。表皮材１３ｃは棒状部材１３の上部１３ａの表面を構成する。そして、下側枠体１３ｂと表皮材１３ｃにより棒状部材１３の表面を形成している。さらに、表皮材１３ｃの内面を支える上側枠体１３ｅが配設されている。
【００１５】
振動手段２０は、仕切板２１、コイルバネ２２、コイル２３および縦長の可動鉄片（プランジャ）２４を備えている。仕切板２１の両端部が下側枠体１３ｂの内面に固定され、仕切板２１の中央部に孔２１ａが形成されている。コイルバネ２２が下側枠体１３ｂの中央部上に配置され、孔２１ａを挿通している。コイル２３が仕切板２１上に固定され、コイル２３を挿通するように縦長の可動鉄片２４が配設され、可動鉄片２４の下端部はコイルバネ２２の上端部により支えられている。
コイル２３に通電すると、可動鉄片２４がコイルバネ２２の付勢力に抗してコイル２３の磁力により下方に引かれるが、コイル２３の通電を止めると、コイル２３の磁力がなくなるので、可動鉄片２４がコイルバネ２２の付勢力により上方に移動する。このため、コイル２３に間欠的に通電すると、可動鉄片２４が上下方向（矢印２４ｘの方向）に振動するので、可動鉄片２４の上端部に固定された上側枠体１３ｅが振動し、上側枠体１３ｅに支えられた表皮材１３ｃが上下に振動する。このため、棒状部材１３の上部１３ａが上下に振動することになる。
【００１６】
また、「コイル２３に間欠的に通電する手段」は図示されていないが、例えば家庭用１００ボルト電源のコンセントに差し込むことができるプラグに接続された電源コードおよびこの電源コードの交流電圧を変圧し整流し平滑する直流電源、並びにこの直流電源の出力電圧を間欠的にコイル２３に印加するスイッチ手段である。なお、このスイッチ手段は、例えば前記直流電源を電源とする発振回路およびこの発振回路の出力電圧により駆動されてコイル２３に通電する回路をオンオフするリレースイッチである。そして、前記電源回路およびスイッチ手段は棒状部材１３の内部に配設され、前記電源コードおよびプラグは棒状手段１３の外部に引き出されている。
【００１７】
上記構成の椅子型健康器具１０は、以下の動作をする。
椅子型健康器具１０の座部１１に着座した人３０が座部１１よりも高い位置に配設された、長手方向が横方向の棒状部材１３に脚３１の膝関節部分３２を載せると、脚３１の膝関節部分３２より下の部分３３が宙吊りになるので、脚３１の膝関節部分３２が延びた状態になり、膝関節部分３２のストレッチを行うことができる。
さらに、足先３３ａを棒状部材１３の長手方向（図１の矢印１３ｘで示す方向）と直交する方向（図２の矢印３３ｘの方向）に揺動させることもできる。このようにすると、膝関節部分３２に刺激を与え、膝関節部分３２のストレッチの程度を向上することができる。
【００１８】
このとき、具体的には、図４（ａ）に示すように、脚３１の膝関節部分３２における膝関節３２ａでは大腿骨の下端部３２ｂと脛骨の上端部３２ｃに関節軟骨３２ｄが形成されているが、老化等により、この関節軟骨３２ｄが減ってくると、膝関節３２ａに痛みが発生することになる。そこで、図２に示すように、棒状部材１３に膝関節部分３２を載せて足先３３ａを宙吊りにすると、図４（ｂ）に示すように、膝関節３２ａが延びて（矢印３３ｙの方向に延びて）膝関節３２ａの痛みを和らげることができる。
【００１９】
さらに、棒状部材１３の上部１３ａを振動させる振動手段２０が棒状部材１３の内部に配設されているので、振動手段２０により棒状部材１３の上部１３ａを振動させると、棒状部材１３に載せた脚３１の膝関節部分３２に振動を与えて、脚３１の膝関節部分３２のマッサージをすることができる。
【００２０】
なお、上記実施の形態において、振動手段２０が棒状部材１３の内部に配設されているが、これに限定されず、振動手段２０の一部分例えば「コイル２３に間欠的に通電する手段」を棒状部材１３の外部に配設してもよい。さらに、「コイル２３に間欠的に通電する手段」をコイル２３に間欠的に通電する周期、通電時間、通電する電流値を制御するコントローラとして、このコントローラにより振動手段２０の振動の状態を変えることもできる。
さらに、棒状部材１３の上部１３ａを振動させる振動手段２０はコイルバネ２２およびコイル２３により可動鉄片２４を振動させるものであるが、これに限定されず、例えば、間欠的に空気を送り込むことにより間欠的に膨張する空気袋を棒状部材１３の内部に配置して、この空気袋の膨張、収縮により棒状部材１３の上部１３ａを振動させるようにしてもよい。
また、背もたれ部１４はなくてもよい。
【図面の簡単な説明】
【００２１】
【図１】本考案の実施の形態に係わる椅子型健康器具の正面図である。
【図２】図１の椅子型健康器具の左側面図である。
【図３】図１の椅子型健康器具の棒状部材のＡ−Ａ断面図である。
【図４】図１の椅子型健康器具の効果を説明する説明図であり、（ａ）は椅子型健康器具を使用する前の膝関節の概略を示す説明図であり、（ｂ）は椅子型健康器具を使用中の膝関節を上から見た状態の概略を示す説明図である。
【符号の説明】
【００２２】
１０  椅子型健康器具
１１  座部
１３  棒状部材
１３ａ  上部
２０  振動手段
３０  人
３１  脚
３２  膝関節部分
【図１】
0003139618.tif 000003
【図２】
0003139618.tif 000004
【図３】
0003139618.tif 000005
【図４】
0003139618.tif 000006
【手続補正書】
【提出日】平成20年1月7日(2008.1.7)
【手続補正１】
【補正対象書類名】実用新案登録請求の範囲
【補正対象項目名】全文
【補正方法】変更
【補正の内容】
【実用新案登録請求の範囲】
【請求項１】
座部、前記座部に着座した人の脚の膝関節部分を載せるための棒状部材を備え、
前記棒状部材の長手方向は横方向であり、前記棒状部材は前記座部よりも高い位置に配設されることを特徴とする椅子型健康器具。
【請求項２】
座部、前記座部の前端部に立設された支持部、前記支持部の上端部に固定された棒状部材を備え、
前記棒状部材の長手方向は横方向であり、前記棒状部材の上端は前記座部より２０〜３０ｃｍ高く設定されることを特徴とする椅子型健康器具。
【請求項３】
請求項１または２記載の椅子型健康器具であって、
前記棒状部材の上部を振動させる振動手段が配設されていることを特徴とする椅子型健康器具。
【請求項４】
請求項３記載の椅子型健康器具であって、
可撓性がある表皮材が下側枠体に固定され、
前記表皮材が前記棒状部材の上部の表面を構成し、
上側枠体が前記表皮材の内面を支え、
前記振動手段は仕切板、コイルバネ、コイルおよび可動鉄片を備え、
前記仕切板が前記下側枠体の内面に固定され、
前記下側枠体上に配置された前記コイルバネが前記仕切板の孔を挿通し、
前記コイルが前記仕切板上に固定され、
前記可動鉄片の下端部は前記コイルバネの上端部により支えられ、
前記上側枠体が前記可動鉄片の上端部に固定され、
前記コイルに間欠的に通電する手段が前記コイルに通電すると前記可動鉄片が前記コイルバネの付勢力に抗して前記コイルの磁力により下方に引かれることを特徴とする椅子型健康器具。
【手続補正２】
【補正対象書類名】明細書
【補正対象項目名】０００５
【補正方法】変更
【補正の内容】
【０００５】
上記課題を解決するため、請求項１記載の考案は、座部、前記座部に着座した人の脚の膝関節部分を載せるための棒状部材を備え、前記棒状部材の長手方向は横方向であり、前記棒状部材は前記座部よりも高い位置に配設されることを特徴とする椅子型健康器具である。
請求項１記載の考案により、椅子型健康器具の座部に着座した人が前記座部よりも高い位置に配設された、長手方向が横方向の棒状部材（中空のものおよび筒状のものを含む。）に脚の膝関節部分を載せると、脚の膝関節部分より下の部分が宙吊りになるので、脚の膝関節部分が延びた状態になり、膝関節部分に刺激を与え、膝関節部分のストレッチを行うことができる。
【手続補正３】
【補正対象書類名】明細書
【補正対象項目名】０００６
【補正方法】変更
【補正の内容】
【０００６】
さらに、請求項２記載の考案は、座部、前記座部の前端部に立設された支持部、前記支持部の上端部に固定された棒状部材を備え、前記棒状部材の長手方向は横方向であり、前記棒状部材の上端は前記座部より２０〜３０ｃｍ高く設定されることを特徴とする椅子型健康器具である。
請求項２記載の考案により、椅子型健康器具の座部に着座した人が座部よりも高い位置に配設された、長手方向が横方向の棒状部材に脚の膝関節部分を載せると、脚の膝関節部分より下の部分が宙吊りになるので、脚の膝関節部分が延びた状態になり、膝関節部分のストレッチを行うことができる。さらに、前記棒状部材の上端は前記座部より２０〜３０ｃｍ高く設定されるので、前記座部に着座した人の脚の膝関節部分を棒状部材に掛けることが容易になる。
【手続補正４】
【補正対象書類名】明細書
【補正対象項目名】０００７
【補正方法】変更
【補正の内容】
【０００７】
さらに、請求項３記載の考案は、請求項１または２記載の椅子型健康器具であって、前記棒状部材の上部を振動させる振動手段が配設されていることを特徴とする椅子型健康器具である。
請求項３記載の考案により、前記棒状部材の上部を振動させる振動手段が配設されているので、前記振動手段により前記棒状部材の上部を振動させると、前記棒状部材に載せた脚の膝関節部分に振動を与えて、脚の膝関節部分をマッサージすることができる。
【手続補正５】
【補正対象書類名】明細書
【補正対象項目名】０００８
【補正方法】変更
【補正の内容】
【０００８】
さらに、請求項４記載の考案は、請求項３記載の椅子型健康器具であって、可撓性がある表皮材が下側枠体に固定され、前記表皮材が前記棒状部材の上部の表面を構成し、上側枠体が前記表皮材の内面を支え、前記振動手段は仕切板、コイルバネ、コイルおよび可動鉄片を備え、前記仕切板が前記下側枠体の内面に固定され、前記下側枠体上に配置された前記コイルバネが前記仕切板の孔を挿通し、前記コイルが前記仕切板上に固定され、前記可動鉄片の下端部は前記コイルバネの上端部により支えられ、前記上側枠体が前記可動鉄片の上端部に固定され、前記コイルに間欠的に通電する手段が前記コイルに通電すると前記可動鉄片が前記コイルバネの付勢力に抗して前記コイルの磁力により下方に引かれることを特徴とする椅子型健康器具である。
請求項４記載の考案により、前記コイルに通電すると、可動鉄片がコイルバネの付勢力に抗してコイルの磁力により下方に引かれるが、コイルの通電を止めるとコイルの磁力がなくなるので、可動鉄片がコイルバネの付勢力により上方に移動する。このため、前記コイルに間欠的に通電する手段がコイルに間欠的に通電すると、可動鉄片が上下方向に振動するので、可動鉄片の上端部に固定された上側枠体が振動し、上側枠体に支えられた表皮材が上下に振動する。このため、棒状部材の上部が上下に振動することになる。
【手続補正６】
【補正対象書類名】明細書
【補正対象項目名】０００９
【補正方法】変更
【補正の内容】
【０００９】
請求項１記載の考案によれば、膝関節部分のストレッチを行って、脚の膝関節部分の健康を増進することができる。
さらに、請求項２記載の考案によっても、膝関節部分のストレッチを行って、脚の膝関節部分の健康を増進することができる。
さらに、請求項３記載の考案によれば、請求項１または２記載の考案の効果とともに、脚の膝関節部分のマッサージ効果により脚の膝関節部分の健康を一層増進することができる。
さらに、請求項４記載の考案によれば、請求項３記載の考案の効果とともに、振動手段のコイルに間欠的に通電すると棒状部材の上部が上下に振動する。
【手続補正７】
【補正対象書類名】明細書
【補正対象項目名】００２２
【補正方法】変更
【補正の内容】
【００２２】
１０  椅子型健康器具
１１  座部
１３  棒状部材
１３ａ  上部
１３ｂ 下側枠体
１３ｃ 表皮材
１３ｅ 上側枠体
１５ 支持部
２０  振動手段
２１ 仕切板
２１ａ 孔
２２ コイルバネ
２３ コイル
２４ 可動鉄片
３０  人
３１  脚
３２  膝関節部分